(57)【要約】      （修正有）【課題】ＲＧＢカラー・ホイール、ＣＭＹカラー・ホイール、回転プリズムその他のような色配列装置を設けられる投影システムまたは照明装置において、原色の赤色、緑色、および青色の組み合わせることによって得られる理論的色域に近づける色配列装置を提供する。【解決手段】色配列装置を原色の赤色、緑色、および青色のうちの少なくとも１つと、二次色のシアン、マゼンタ、および黄色のうちの少なくとも１つと、の組合せで構成させる。【選択図】図４
2006178460.tif 000002
【特許請求の範囲】
【請求項１】
例えばカラー・ホイール（６）、回転プリズムその他のような色配列装置を設けられた投影システムまたは照明装置であって、前記色配列装置が原色の赤色、緑色、および青色のうちの少なくとも１つと、二次色のシアン、マゼンタ、および黄色のうちの少なくとも１つと、の組合せで構成されることを特徴とする投影システムまたは照明装置。
【請求項２】
当該色配列装置が原色の赤色、緑色、および青色のすべてと、二次色のシアン、マゼンタ、および黄色のうちの少なくとも１つと、の組合せで構成されることを特徴とする、請求項１に記載の投影システムまたは照明装置。
【請求項３】
当該色配列装置が原色の赤色、緑色、および青色のうちの少なくとも１つと、二次色のシアン、マゼンタ、および黄色のすべてと、の組合せで構成されることを特徴とする、請求項１に記載の投影システムまたは照明装置。
【請求項４】
当該色配列装置が原色のすべてと、二次色のすべてと、の組合せで構成されることを特徴とする、請求項１に記載の投影システムまたは照明装置。
【請求項５】
当該色配列装置が白色もやはり含むことを特徴とする、請求項１に記載の投影システムまたは照明装置。
【請求項６】
当該色配列装置が１つよりも多いカラー・ホイール（１、２、６）で構成されることを特徴とする、請求項１に記載の投影システムまたは照明装置。
【請求項７】
当該カラー・ホイール（１、２、６）が順々に位置決めされることを特徴とする、請求項６に記載の投影システムまたは照明装置。
【請求項８】
請求項１から７のいずれか１つに記載の投影システムまたは照明装置の中に設けられることが可能である色配列装置。
【請求項９】
カラー・ホイールまたは複数のカラー・ホイールの組合せであることを特徴とする、請求項８に記載の色配列装置。
【請求項１０】
回転プリズムであることを特徴とする、請求項８に記載の色配列装置。
【発明の詳細な説明】
【技術分野】
【０００１】
現在では、色配列型投影システム(projection system)は例えばカラー・ホイール、回転プリズムその他のような色配列装置を使用し、それがＲＧＢカラー・ホイールの場合、配列になった赤色、緑色、および青色の画像を作り出す。
【背景技術】
【０００２】
しばしば、光束強度出力を上げるために白色区分が含まれる。すなわちＲＧＢＷカラー・ホイールである。
【０００３】
カラー画像を作り出すこの方式はビデオ産業にその起源を発する。しかしながら照明産業では、原色の赤色、緑色、および青色を使用するのではなく、二次色のシアン、マゼンタ、および黄色が使用される。
【発明の開示】
【発明が解決しようとする課題】
【０００４】
ＲＧＢカラー・ホイールまたはＣＭＹカラー・ホイールを伴うか、あるいはいずれかの他の従来式の色配列装置を伴うそのような従来式の投影装置または照明装置(lighting device)の課題は、色域が、原色の赤色、緑色、および青色を組み合わせることによって得られることが可能な理論的色域よりも制限され、かつはるかに削減されることである。
【０００５】
その結果として、従来式の投影システムは両方の市場用途で使用されることが不可能である。ビデオ用途はＲＧＢカラー・ホイールの使用を必要とする。照明用途はＣＭＹカラー・ホイールの使用を必要とする。
【課題を解決するための手段】
【０００６】
上記の制限を考慮に入れて、本発明は例えばカラー・ホイール、回転プリズムその他のような色配列装置を設けられる投影システムまたは照明装置に関し、そこでは色配列装置は原色の赤色、緑色、および青色のうちの少なくとも１つと、二次色のシアン、マゼンタ、および黄色のうちの少なくとも１つと、の組合せで構成される。
【０００７】
この色配列装置は、例えば、原色の赤色、緑色、および青色のすべてと、二次色のシアン、マゼンタ、および黄色のすべて、および場合によっては白色もやはり組み合わせて構成されるカラー・ホイールから成ることが可能である。
【０００８】
そのようなカラー・ホイールは、ＲＧＢカラー・ホイールを使用する従来式の投影システムの色域と比較して、およびＣＭＹカラー・ホイールを使用する従来式の照明装置と比較して、本発明による投影システムまたは照明装置の色域を広げる。
【０００９】
新たな色域は従来式のＲＧＢホイールの色域と従来式のＣＭＹホイールの色域を単純に一体化したものよりもさらに広くすらなる。
【００１０】
実に、原色のうちの１つまたは複数を二次色のうちの１つまたは複数と組み合わせることによって、原色を組み合わせることによっても二次色を組み合わせることによっても作り出されることが不可能ないわゆる新色が得られることが可能である。
【００１１】
主な利点は、本発明によるそのような投影システムまたは照明装置がビデオ用途と照明用途の両方で使用されることが可能であることである。
【００１２】
特定の実施形態によると、この色配列装置は例えば順々に位置決めされた２つのカラー・ホイールで構成され、第１のカラー・ホイールは原色と白色で構成され、第２のカラー・ホイールは二次色と白色で構成される。
【００１３】
そのような投影システムまたは照明装置は、さらに特定するとＲＧＢＷカラー・ホイールを使用することによって、およびＣＭＹＷカラー・ホイールを白色に保持することによって純ビデオ用途に使用されることが可能である。
【００１４】
通常の照明用途の場合では、ＲＧＢＷカラー・ホイールは白色区分に保持されることが可能であり、ＣＭＹＷ区分を順々に見せるようにＣＭＹＷカラー・ホイールが稼動させられることが可能である。
【００１５】
特別の場合で、もしも原色および二次色の純度が重要であるならば、この装置は両方のカラー・ホイールの間で切り換えを行うことが可能である。
【００１６】
本発明は、例えばカラー・ホイール、回転プリズムその他のような色配列装置にも関し、当該色配列装置は本発明による投影システムまたは照明装置に適用されることが可能である。
【発明を実施するための最良の形態】
【００１７】
本発明の特徴をさらによく説明するために、どのような方式で限定することもない単なる範例として以下の好ましい実施形態が添付の図面を参照しながら述べられる。
【００１８】
図１は、それぞれ原色の赤色、緑色、および青色を表す３つの等しい区分Ｒ(Red)、Ｇ(Green)、およびＢ(Blue)で構成される従来式の原色のカラー・ホイール１を表す。
【００１９】
そのような従来式のＲＧＢカラー・ホイールは、通常、旧来のビデオ投影システムに備えられている。
【００２０】
図２は、それぞれ二次色のシアン、マゼンタ、および黄色を表す３つの等しい区分、この場合ではＣ(Cyan)、Ｍ(Magenta)、およびＹ(Yellow)で構成される従来式の二次色のカラー・ホイール２を表す。
【００２１】
知られているＣＭＹカラー・ホイールは照明装置にしばしば備えられている。
【００２２】
図３は理論的色域が太線の最も広域の曲線で輪郭を描かれる図を表している。
【００２３】
従来式のＲＧＢカラー・ホイール１が使用されるとき、第一の三角形３で表される小さくなった色域が得られ、その角は従来式のＲＧＢカラー・ホイール１によって得られる赤色、緑色、および青色を表すＲ、Ｇ、およびＢとして示される。
【００２４】
３つの原色のすべての組合せは前記第一の三角形３の内側の点によって表されることが可能な色彩に結果的になる。
【００２５】
同様の方式で、従来式のＣＭＹカラー・ホイール２が使用されるとき、第二の三角形４で表される別の小さくなった色域が得られ、その角は従来式のＣＭＹカラー・ホイール２によって得られる二次色のシアン、マゼンタ、および黄色を表すＣ、Ｍ、およびＹとして示される。
【００２６】
３つの二次色のすべての組合せは前記第二の三角形４の内側の点によって表されることが可能な色彩に結果的になる。
【００２７】
例えば３つの原色すべておよび３つの二次色すべてを組み合わせることによって、６つの角Ｒ、Ｇ、Ｂ、Ｃ、Ｍ、およびＹによって規定される六角形５の内側の点で表されることが可能ないずれの色彩も得られることが可能である。
【００２８】
本発明によると、図４に示されるように、投影システムまたは照明装置は、この場合ではそれぞれ原色の赤色、緑色、および青色、およびそれぞれ二次色のシアン、マゼンタ、および黄色を表すＲ、Ｂ、Ｇ、Ｃ、Ｍ、およびＹの６つの同等の区分で構成されるカラー・ホイール6を備えることが可能である。
【００２９】
図３に示されるような線図を参照すると、このカラー・ホイールは前記６つの色彩の組合せのすべてを作り出すことが可能である。各々の組合せは前記６つの色彩によって規定される六角形５の内側の点によって表されることが可能である。
【００３０】
そのようなカラー・ホイールを備えた本発明による投影システムまたは照明装置の色域は、ＲＧＢカラー・ホイールまたはＣＭＹカラー・ホイールを使用する従来式の投影システムの色域よりも広い。
【００３１】
この新たな色域は従来式のＲＧＢホイールの色域と従来式のＣＭＹホイールの色域を単純に重ね合わせたそれよりも広くすらなる。実際に、六角形５の表面は第一の三角形３と第二の三角形４の重なり合った表面よりも広い。
【００３２】
本発明による投影システムまたは照明装置が他のタイプの色配列装置、例えば回転プリズムを設けられることもやはり可能であること、およびその色配列装置が原色から選択される少なくとも１つの色彩と二次色から選択される１つの色彩の組合せで構成されることが可能であること、および場合によっては白色を含むこともやはり可能であること、は明らかである。
【００３３】
白色は光束強度出力を上げるためにしばしば追加される。
【００３４】
カラー・ホイールのケースでは、すべての区分が必ずしも寸法で同じである必要はなく、かつ必ずしも色彩が区分の中に加えられる必要はない。
【００３５】
この色配列装置が、例えば順々に位置決めされた２つ以上のカラー・ホイールで構成されることもやはり可能であり、第１のカラー・ホイールが原色と白色で構成されることが可能であり、かつ第２のカラー・ホイールが二次色と白色で構成されることが可能であることは明らかである。
【００３６】
そのような投影システムまたは照明装置は、特にＲＧＢＷカラー・ホイールを使用することによって、かつＣＭＹＷカラー・ホイールを白色に保持することによって純ビデオ用途に使用されることが可能である。
【００３７】
通常の照明用途の場合では、ＲＧＢＷカラー・ホイールは白色区分に保持されることが可能であり、ＣＭＹＷ区分を順々に見せるためにＣＭＹＷカラー・ホイールが稼動させられることが可能である。
【００３８】
特別の場合で、もしも原色および二次色の純度が重要であるならば、この装置は両方のカラー・ホイールの間で切り換えを行うことが可能である。
【００３９】
２つ以上のカラー・ホイールが同時に使用されることもやはり可能であり、さらなるホイールもしくは複数ホイールを白色に保持することによって光源に最も近いホイールの色彩が活性化されることが可能であることは明らかである。
【００４０】
本発明は決して添付の図面に表された上述の実施形態に限定されるものではなく、反対に、そのような投影システムまたは照明装置はなおも本発明の範囲内に留まりながら、あらゆる種類の形状および寸法で作られることが可能である。
【図面の簡単な説明】
【００４１】
【図１】原色の組合せで構成されるカラー・ホイールを示す概略図である。
【図２】二次色の組合せで構成されるカラー・ホイールを示す概略図である。
【図３】従来式のカラー図である。
【図４】原色全部と二次色全部の組合せで構成されるカラー・ホイールを示す概略図である。
【符号の説明】
【００４２】
１  原色のカラー・ホイール
２  二次色のカラー・ホイール
３  第一の三角形
４  第二の三角形
５  六角形
６  カラー・ホイール
【図１】
2006178460.tif 000003
【図２】
2006178460.tif 000004
【図３】
2006178460.tif 000005
【図４】
2006178460.tif 000006